(57)【要約】【課題】焦点距離を連続的に変化させられるズームレンズに用いたときに、全ズーム領域を通して高い解像性能が得られるワイドコンバーターレンズ。【解決手段】主レンズ系の物体側に配置され全系の焦点距離を短縮するために用いられるワイドコンバーターレンズにおいて、物体側より順に、物体側の面を凸面とし負の屈折力を有するメニスカスレンズである第１レンズ、物体側の面を凸面とし正の屈折力を有する第２レンズ、像側の面を凹面とし負の屈折力を有する第３レンズ、像側の面を凹面とし負の屈折力を有する第４レンズ、及び正の屈折力を有する第５レンズより構成され、前記第２レンズの硝材のアッベ数は前記第３レンズのアッベ数よりも小さいこと。【選択図】図３
2008129396.tif 000002
【特許請求の範囲】
【請求項１】
主レンズ系の物体側に配置され全系の焦点距離を短縮するために用いられるワイドコンバーターレンズにおいて、
物体側より順に、物体側の面を凸面とし負の屈折力を有するメニスカスレンズである第１レンズ、物体側の面を凸面とし正の屈折力を有する第２レンズ、像側の面を凹面とし負の屈折力を有する第３レンズ、像側の面を凹面とし負の屈折力を有する第４レンズ、及び正の屈折力を有する第５レンズより構成され、
前記第２レンズの硝材のアッベ数は前記第３レンズのアッベ数よりも小さいことを特徴とするワイドコンバーターレンズ。
【請求項２】
前記第５レンズは、物体側の面に像側の面より強い屈折力を有する両凸レンズであることを特徴とする請求項１に記載のワイドコンバーターレンズ。
【請求項３】
前記第４レンズは、像側の面に物体側の面より強い屈折力を有することを特徴とする請求項１又は請求項２に記載のワイドコンバーターレンズ。
【請求項４】
下記の条件式を満足することを特徴とする請求項１〜３の何れか１項に記載のワイドコンバーターレンズ。
２０＜νｄ３−νｄ２＜４０
但し、
νｄ２：第２レンズのアッベ数
νｄ３：第３レンズのアッベ数
【請求項５】
下記の条件式を満足することを特徴とする請求項１〜４の何れか１項に記載のワイドコンバーターレンズ。
２．５＜（ｒ１＋ｒ２）／（ｒ１−ｒ２）＜５．２
但し、
ｒ１：第１レンズの物体側の面の曲率半径
ｒ２：第１レンズの像側の面の曲率半径
【発明の詳細な説明】
【技術分野】
【０００１】
本発明は、主レンズ系の物体側に配置され全系の焦点距離を短縮するために用いられるワイドコンバーターレンズに関し、特に、焦点距離を連続的に変化させるズームレンズに用いるのに好適なワイドコンバーターレンズに関する。
【背景技術】
【０００２】
主レンズ系の物体側に配置され、焦点距離の短縮化を行うワイドコンバーターレンズは従来より多数発明されている（例えば、特許文献１〜３参照）。
【特許文献１】特開２００５−０３１３５４号公報
【特許文献２】特開２００４−２１２６４３号公報
【特許文献３】特開２００２−２１４５２９号公報
【発明の開示】
【発明が解決しようとする課題】
【０００３】
しかしながら、いずれの特許文献の実施例もズームレンズに用いるようとすると、特定のズーム位置では充分高い性能を得られるものの、別のズーム位置においては収差の劣化を招きがちで、例えば高画素を有するデジタルカメラなどに用いるには解像性能が不足しがちであった。このため、全ズーム領域を通しての解像性能を充分高く保てるワイドコンバーターレンズが望まれていた。
【０００４】
本発明はかかる問題に鑑みてなされたものであり、主レンズ系の物体側に配置され全系の焦点距離を短縮する解像性能良好なワイドコンバーターレンズを提案し、特に、焦点距離を連続的に変化させられるズームレンズに用いたときに、全ズーム領域を通して高い解像性能が得られるワイドコンバーターレンズを提案することことを目的とする。
【課題を解決するための手段】
【０００５】
前記目的は、下記に記載した発明により達成される。
１．主レンズ系の物体側に配置され全系の焦点距離を短縮するために用いられるワイドコンバーターレンズにおいて、
物体側より順に、物体側の面を凸面とし負の屈折力を有するメニスカスレンズである第１レンズ、物体側の面を凸面とし正の屈折力を有する第２レンズ、像側の面を凹面とし負の屈折力を有する第３レンズ、像側の面を凹面とし負の屈折力を有する第４レンズ、及び正の屈折力を有する第５レンズより構成され、
前記第２レンズの硝材のアッベ数は前記第３レンズのアッベ数よりも小さいことを特徴とするワイドコンバーターレンズ。
２．前記第５レンズは、物体側の面に像側の面より強い屈折力を有する両凸レンズであることを特徴とする１に記載のワイドコンバーターレンズ。
３．前記第４レンズは、像側の面に物体側の面より強い屈折力を有することを特徴とする１又は２に記載のワイドコンバーターレンズ。
４．下記の条件式を満足することを特徴とする１〜３の何れか１項に記載のワイドコンバーターレンズ。
【０００６】
２０＜νｄ３−νｄ２＜４０
但し、
νｄ２：第２レンズのアッベ数
νｄ３：第３レンズのアッベ数
５．下記の条件式を満足することを特徴とする１〜４の何れか１項に記載のワイドコンバーターレンズ。
【０００７】
２．５＜（ｒ１＋ｒ２）／（ｒ１−ｒ２）＜５．２
但し、
ｒ１：第１レンズの物体側の面の曲率半径
ｒ２：第１レンズの像側の面の曲率半径
【発明の効果】
【０００８】
本発明のワイドコンバーターレンズによれば、全ズーム領域を通して高い解像性能が得られるという効果を奏する。
【発明を実施するための最良の形態】
【０００９】
本発明のワイドコンバーターレンズにおいては、第１レンズを負のメニスカスレンズ、第５レンズを正レンズとしている。物体側よりに負の屈折力を有するレンズを、像側よりに正の屈折力を有するレンズを配置することにより、充分な倍率を有するワイドコンバーターレンズをコンパクトに構成することを効果的に達成している。
【００１０】
また、一般的にコンパクト化のためには第１レンズに強い負の屈折力が必要となり、その場合に、特にズームレンズに用いたときに広角側で大きな負の歪曲収差が発生しがちとなるが、本発明のワイドコンバーターレンズでは第１レンズをメニスカス形状とすることにより、全系を大型化することなく負の歪曲収差を効果的に抑制している。
【００１１】
また、本発明のワイドコンバーターレンズにおいては、第２レンズを物体側の面を凸面とした正レンズとし、第３レンズを像側の面を凹面とした負レンズとしているが、このような構成にすることにより、特にズームレンズに用いたときに広角側でのコマ収差の補正を良好に行うことが可能となる。更に、第２レンズの硝材のアッベ数を第３レンズのアッベ数よりも小さくすることにより、特にズームレンズに用いたときに広角側での倍率色収差の発生を抑制することが可能となる。
【００１２】
また、本発明のワイドコンバーターレンズにおいては、第４レンズを像側の面を凹面とした負レンズ、第５レンズを正レンズとしているが、このような構成とすることにより、特にズームレンズに用いたときに望遠側での球面収差の補正を良好に行うことが可能となる。なお、正の屈折力を有する第５レンズを物体側の面により強い屈折力を有する両凸レンズとすることにより、ズームレンズに用いたときに望遠側での球面収差をより良好に補正することが可能となる。更に、負の屈折力を有する第４レンズを像側の面により強い屈折力を有する形状とすることにより、ズームレンズに用いたときに望遠側での球面収差の補正をより良好に行うことが可能であると共に、広角側でのコマ収差の補正をより良好に行うことも可能となる。
【００１３】
次に、条件式について説明する。
【００１４】
条件式（１）は、色収差をより良好に補正するための式である。
【００１５】
条件式（１）の式の下限を超えると、特にズームレンズに用いたときに、広角側においてｄ線よりもｇ線の像高が小さくなる方向に倍率色収差が大きくなり易く、また、望遠側において、軸上色収差がオーバーとなり易い。逆に、条件式（１）の式の上限を超えると、広角側においてｄ線よりもｇ線の像高が大きくなる方向に倍率色収差が大きくなり易く、また、望遠側において、軸上色収差がアンダーとなり易い。
【００１６】
条件式（２）は、充分な加工性を確保しながら歪曲収差をより良好に保つための式である。
【００１７】
条件式（２）の上限を超えると、第１レンズの像側の面の曲率が大きくなってくるため、研磨を行うときの難易度が高くなり、生産性が低くなりがちになる。逆に、条件式（２）の下限を超えると、特にズームレンズに用いたときの広角側において、第１レンズで発生する負の歪曲収差が大きくなり、補正が難しくなりがちとなる。なお、歪曲収差は第１レンズに非球面を用いることで、条件式（２）に従わなくとも充分良好に補正できるが、比較的径の大きい第１レンズに用いるのは高価となるため望ましくない。
【実施例】
【００１８】
以下に本発明のワイドコンバーターレンズの実施例を示す。
【００１９】
なお、ｆは焦点距離、ωは半画角、ＦｎｏはＦナンバー、ｒはレンズ各面の曲率半径、ｄはレンズ厚またはレンズ間隔、ｎｄは屈折率、νｄはアッベ数を示す。
【００２０】
非球面の形状は、光軸方向にＺ軸、光軸と直交する方向にＹ軸を取り、近軸曲率半径をｒ、円錐定数をｋ、非球面係数をＡ４，Ａ６，Ａ８としたとき、下記の数式で表す。
【００２１】
【数１】
2008129396.tif 000003
【００２２】
また、各実施例においては本発明のワイドコンバーターレンズを主レンズとしての所定のズームレンズに装着したときの収差図を示しているが、最初にこの主レンズの構成を示す。
［主レンズ］
（全体諸元）
ｆ＝６．４９〜１８．５０
２ω＝６０．５２〜２１．３４
Ｆｎｏ＝３．４４〜４．２０
（レンズデータ）
主レンズのレンズデータを表１に示す。
【００２３】
【表１】
2008129396.tif 000004
【００２４】
（非球面係数）
主レンズの非球面係数を表２に示す。
【００２５】
【表２】
2008129396.tif 000005
【００２６】
（レンズ間隔データ）
主レンズの可変するレンズの間隔データを広角端、中間焦点距離及び望遠端に関して表３に示す。
【００２７】
【表３】
2008129396.tif 000006
【００２８】
また、主レンズのレンズ断面図を図１に、収差図を図２に示す。
【００２９】
なお、主レンズ及びワイドコンバーターレンズに関する各収差図においては、（Ａ）が広角端、（Ｂ）が中間焦点距離、（Ｃ）が望遠端である。
【００３０】
次に、ワイドコンバーターレンズに関する３種の実施例を示す。
［実施例１］
（全体諸元）
ｆ＝４．８０〜１３．６７
２ω＝７６．４５〜２８．６５
Ｆｎｏ＝３．４４〜４．２０
（レンズデータ）
ワイドコンバーターレンズのみのレンズデータを表４に示す。
【００３１】
【表４】
2008129396.tif 000007
【００３２】
（条件式１，２のデータ）
条件式１，２のデータを表５に示す。
【００３３】
【表５】
2008129396.tif 000008
【００３４】
また、ワイドコンバーターレンズのレンズ断面図を図３に、ワイドコンバーターレンズを主レンズに装着したときの収差図を図４に示す。
［実施例２］
（全体諸元）
ｆ＝４．８０〜１３．６７
２ω＝７９．６１〜２８．６８
Ｆｎｏ＝３．４４〜４．２０
（レンズデータ）
ワイドコンバーターレンズのみのレンズデータを表６に示す。
【００３５】
【表６】
2008129396.tif 000009
【００３６】
（条件式１，２のデータ）
条件式１，２のデータを表７に示す。
【００３７】
【表７】
2008129396.tif 000010
【００３８】
また、ワイドコンバーターレンズのレンズ断面図を図５に、ワイドコンバーターレンズを主レンズに装着したときの収差図を図６に示す。
［実施例３］
（全体諸元）
ｆ＝４．８０〜１３．６７
２ω＝７６．９８〜２８．６９
Ｆｎｏ＝３．４４〜４．２０
（レンズデータ）
ワイドコンバーターレンズのみのレンズデータを表８に示す。
【００３９】
【表８】
2008129396.tif 000011
【００４０】
（条件式１，２のデータ）
条件式１，２のデータを表９に示す。
【００４１】
【表９】
2008129396.tif 000012
【００４２】
また、ワイドコンバーターレンズのレンズ断面図を図７に、ワイドコンバーターレンズを主レンズに装着したときの収差図を図８に示す。
【図面の簡単な説明】
【００４３】
【図１】ワイドコンバーターレンズを装着する主レンズのレンズ断面図である。
【図２】ワイドコンバーターレンズを装着する主レンズの収差図である。
【図３】実施例１のワイドコンバーターレンズの断面図である。
【図４】実施例１のワイドコンバーターレンズを主レンズに装着したときの収差図である。
【図５】実施例２のワイドコンバーターレンズの断面図である。
【図６】実施例２のワイドコンバーターレンズを主レンズに装着したときの収差図である。
【図７】実施例３のワイドコンバーターレンズの断面図である。
【図８】実施例３のワイドコンバーターレンズを主レンズに装着したときの収差図である。
【図１】
2008129396.tif 000013
【図２】
2008129396.tif 000014
【図３】
2008129396.tif 000015
【図４】
2008129396.tif 000016
【図５】
2008129396.tif 000017
【図６】
2008129396.tif 000018
【図７】
2008129396.tif 000019
【図８】
2008129396.tif 000020